(57)【要約】 【課題】現場において作業者に対して適切な情報を提供すると共に、作業効率を向上できる現場点検監視支援装置を提供する。【解決手段】現場点検監視支援端末１２は、タグデータ読取手段１２１により点検対象の機器のタグ装置よりタグコード及び機器状態データを読み取る。データサーバ２１のデータ検索手段２５は、点検対象の機器のタグ装置より読み取ったタグコードに基づき履歴データＤＢ２４ａを検索し、点検対象の機器の前回点検時の機器状態データを取得する。現場点検監視支援端末１２の表示手段１２３は、履歴データＤＢ２４ａから得られた前回点検時の機器状態データを、タグデータ読取手段１２１にて読み取った今回点検時の機器状態データと共に表示する。【選択図】  図１
2008139985.tif 000002
【特許請求の範囲】
【請求項１】
点検対象となるプラントの機器に設置されたタグ装置と、前記機器の機器状態データを収集する現場点検監視支援端末と、前記現場点検監視支援端末により収集された前記機器状態データを履歴データとして格納するデータサーバを具備した現場点検監視支援装置において、
前記タグ装置は、
前記タグ装置を識別するためのタグコードを格納するタグコード保存手段と、
前記タグ装置の設置された前記機器の機器状態データを収集する機器データ収集手段とを備え、
前記現場点検監視支援端末は、
前記タグ装置の前記タグコード保存手段により格納された前記タグコード及び前記機器データ収集手段により収集された前記機器状態データを読み取るタグデータ読取手段と、
前記タグデータ読取手段により読み取られた前記タグコード及び前記機器状態データを前記データサーバへ伝送するデータ伝送手段と、
データを表示する表示手段とを備え、
前記データサーバは、
前記機器状態データを履歴データとして格納する履歴データデータベースと、
前記現場点検監視支援端末の前記データ伝送手段から伝送された前記タグコード及び前記機器状態データを受信するデータ伝送手段と、
前記データ伝送手段により受信された前記機器状態データを前記履歴データデータベースに保存するデータ保存手段と、
前記データ伝送手段により受信された前記タグデータに基づき前記履歴データデータベースを検索し、前回点検時の機器状態データを取得するデータ検索手段とを備え、
更に、前記データサーバの前記データ伝送手段は、前記データ検索手段により取得された前記前回点検時の機器状態データを前記現場点検監視支援端末に伝送し、
前記現場点検監視支援端末の前記データ伝送手段は、前記データサーバの前記データ伝送手段から伝送された前記前回点検時の機器状態データを受信し、
前記表示手段は、前記受信された前記前回点検時の機器状態データを前記タグデータ読取手段により読み取られた前記機器状態データと共に表示する
ことを特徴とする現場点検監視支援装置。
【請求項２】
前記データサーバは、前記機器の図面又は点検項目などの設備データを格納する設備データデータベースを更に備え、
前記データサーバの前記データ検索手段は、前記現場点検監視支援端末の前記データ伝送手段から伝送された前記タグデータに基づき前記設備データデータベースを検索し、対応する設備データを取得し、
前記データサーバの前記データ伝送手段は、前記データ検索手段により取得された前記設備データを前記現場点検監視支援端末に伝送し、
前記現場点検監視支援端末の前記データ伝送手段は、前記データサーバの前記データ伝送手段から伝送された前記設備データを受信し、
前記表示手段は、前記受信された前記設備データを表示する
ことを特徴とする請求項１に記載の現場点検監視支援装置。
【請求項３】
前記データサーバは、前記機器の点検時のチェック結果などの点検履歴データを格納する点検履歴データデータベースを更に備え、
前記データサーバのデータ検索手段は、前記現場点検監視支援端末の前記データ伝送手段から伝送された前記タグデータに基づき前記点検履歴データデータベースを検索し前記点検履歴データを取得し、
前記データサーバの前記データ伝送手段は、前記データ検索手段により取得された前記点検履歴データを前記現場点検監視支援端末に伝送し、
前記現場点検監視支援端末の前記データ伝送手段は、前記データサーバの前記データ伝送手段から伝送された前記点検履歴データを受信し、
前記現場点検監視支援端末の前記表示手段は、前記受信された前記点検履歴データを表示する
ことを特徴とする請求項１または請求項２のいずれか１項に記載の現場点検監視支援装置。
【請求項４】
前記データサーバは、前記プラント内の機器の配置位置を示した機器配置図データを格納する機器配置図データデータベースと、前記機器の点検順路を示した点検順路データを格納する点検順路データデータベースとを更に備え、
前記データサーバのデータ検索手段は、前記現場点検監視支援端末の前記データ伝送手段から伝送された前記タグデータに基づき前記機器配置図データデータベース及び前記点検順路データデータベースを検索し、前記機器配置図データ及び点検順路データを取得し、
前記データサーバの前記データ伝送手段は、前記データ検索手段により取得された前記機器配置図データ及び点検順路データを前記現場点検監視支援端末に伝送し、
前記現場点検監視支援端末の前記データ伝送手段は、前記データサーバの前記データ伝送手段から伝送された前記機器配置図データ及び点検順路データを受信し、
前記現場点検監視支援端末の前記表示手段は、前記受信された前記機器配置図データ及び点検順路データを表示する
ことを特徴とする請求項１乃至３のいずれか１項に記載の現場点検監視支援装置。  
【請求項５】
前記機器が設置された建物に設置された統合タグ装置を備え、
前記データサーバは、前記建物内のフロアに存在する機器の配置位置を示したフロア全体の機器配置図データを格納する機器配置図データデータベースを備え、
前記現場点検監視支援端末は、前記タグ装置と通信を行なう第１の通信手段を備え、
前記タグ装置は、前記現場点検監視支援端末の前記第１の通信手段と通信を行なう第２の通信手段と、発光手段とを備え、
前記現場点検監視支援端末の前記タグデータ読取手段は、前記統合タグ装置から統合タグコードを読み取り、
前記現場点検監視支援端末の前記データ伝送手段は、前記タグデータ読取手段により読み取った前記統合タグ装置の統合タグコードを前記データサーバに伝送すると共に、前記データサーバから伝送された前記フロア全体の機器配置図データを受信し、
前記現場点検監視支援端末の前記表示手段は、前記データ伝送手段により受信された前記フロア全体の機器配置図データを表示し、
前記現場点検監視支援端末の前記入力手段は、前記表示手段により表示された前記フロア全体の機器配置図データから点検対象とする機器を選択し、
前記現場点検監視支援端末の前記第１の前記通信手段は、前記入力手段にて選択された機器のタグ装置に対して当該機器が選択された旨を通知する機器選択通知データを送信し、
前記データサーバのデータ検索手段は、前記現場点検監視支援端末の前記データ伝送手段から伝送された前記統合タグ装置の統合タグコードに基づき前記機器配置図データデータベース及び前記点検順路データデータベースを検索し、前記機器配置図データ及び点検順路データを取得し、
前記データサーバの前記データ伝送手段は、前記データ検索手段により取得した前記フロア全体の機器配置図データを前記現場点検監視支援端末に伝送し、
前記タグ装置の前記第２の通信手段は、前記現場点検監視支援装置の前記第１の通信手段から送信された前記機器選択通知データを受信し、
前記タグ装置の前記発光手段は、前記第２の通信手段により前記機器選択通知データが受信された場合に発光する
ことを特徴とする請求項１乃至４のいずれか１項に記載の現場点検監視支援装置。  
【請求項６】
前記機器を構成する部品に設置されたタグ装置と、
前記データサーバは、前記機器に設置されたタグ装置の機器タグコードと前記機器を構成する部品に設置されたタグ装置の部品タグコードとの関連を示す関連付けデータを格納するタグコード関連付けデータデータベースを備え、
前記現場点検監視支援端末の前記表示手段は、当該表示手段に表示した所定の機器に対する前記入力手段からの選択に応じて当該選択された機器を構成する複数の部品を表示し、この表示した複数の部品の中から点検対象とする部品に対する前記入力手段からの選択に応じて当該選択された部品の前記前回点検時の機器状態データなどの関連データを表示し、
前記現場点検監視支援端末の前記データ伝送手段は、前記入力手段により選択された部品に対応するタグコードを前記データサーバに伝送し、
前記データサーバの前記データ検索手段は、前記現場点検監視支援端末の前記データ伝送手段から伝送された前記部品に対応するタグコードに基づき前記部品の前記前回点検時の機器状態データなどの関連データを検索し、
前記データサーバの前記データ伝送手段は、前記データ検索手段により検索された前記部品の前記前回点検時の機器状態データなどの関連データを前記現場点検監視支援端末に伝送する
ことを特徴とする請求項１乃至５のいずれか１項に記載の現場点検監視支援装置。
【請求項７】
前記データサーバは、前記プラントの各機器について予め設定された機器状態データの閾値を示す閾値データを格納する閾値データデータベースと、前記閾値データデータベースに格納された前記閾値データと前記現場点検監視支援端末により取得された前記機器の機器状態データの現在値に基づいて、前記機器の状態が警報すべき警報状態になっているか否かを判定する判定手段とを備え、
前記現場点検監視支援端末は、前記タグ装置と通信を行なう第１の通信手段を備え、
前記タグ装置は、前記現場点検監視支援端末の前記第１の通信手段と通信を行なう第２の通信手段と、発光手段とを備え、
前記データサーバの判定手段は、警報状態と判定した場合、当該警報状態と判定した機器に対する警報データを出力し、
前記データサーバの前記データ伝送手段は、前記判定手段により出力された前記警報データを前記現場点検監視支援端末に伝送し、
前記現場点検監視支援端末の前記データ伝送手段は、前記データサーバから伝送された前記警報データを受信し、
前記現場点検監視支援端末の前記第１の前記通信手段は、前記データ伝送手段により受信された前記警報データを、該当する機器のタグ装置に対して送信し、
前記タグ装置の前記第２の通信手段は、前記現場点検監視支援装置の前記第１の通信手段から送信された前記警報データを受信し、
前記タグ装置の前記発光手段は、前記第２の通信手段により前記警報データが受信された場合に発光する
ことを特徴とする請求項１乃至６のいずれか１項に記載の現場点検監視支援装置。
【請求項８】
前記データサーバは、前記プラントの各機器について過去の交換日などを示す機器交換履歴データを格納する機器交換履歴データデータベースと、前記機器の次回交換時期を算出する算出手段とを更に備え、
前記データサーバの前記設備データデータベースは、各機器について予め設定された交換条件を示す交換条件データを格納し、
前記データサーバのデータ検索手段は、前記現場点検監視支援端末の前記データ伝送手段から伝送された前記タグデータに基づき前記機器交換履歴データベース及び前記設備データデータベースを検索し、前記機器交換履歴データ及び前記交換条件データを取得し、
前記データサーバの前記算出手段は、前記データ検索手段により取得された前記機器交換履歴データ及び前記交換条件データに基づき、前記機器の次回交換時期を算出し、この算出した前記次回交換時期が近づいているか否かを判定し、この判定の結果、次回交換時期が近づいていると判定した場合、前記機器の次回交換時期が近づいている旨を示す交換アラームデータを出力し、
前記データサーバの前記データ伝送手段は、前記算出手段により出力された前記交換アラームデータを前記現場点検監視支援端末に伝送し、
前記現場点検監視支援端末の前記データ伝送手段は、前記データサーバの前記データ伝送手段から伝送された前記交換アラームデータを受信し、
前記現場点検監視支援端末の前記表示手段は、前記受信された前記交換アラームデータに基づいて前記機器の次回交換時期が近づいている旨を警告表示する
ことを特徴とする請求項１乃至７のいずれか１項に記載の現場点検監視支援装置。  
【発明の詳細な説明】
【技術分野】
【０００１】
本発明は発電所等に設置されるプラントに属する複数の機器の点検作業に用いる現場点検監視支援装置に関する。
【背景技術】
【０００２】
通常、発電所は複数のプラントで構成され、また各プラントにはそれぞれ複数の機器が設置されており、現場にて作業者により機器毎に点検作業が行われている。この点検作業は機器毎に点検項目や点検手順が異なるため、作業者は点検対象機器の仕様書やマニュアルを参照しながら点検操作を行っている。各機器の点検操作後は、機器のデータを計測し記録している。日々の点検作業は全ての機器を毎日点検するのではなく、複数の点検コースから予め選択されたコースに従いコース上に配置された各機器に対して点検を実施している。
【０００３】
また、定期検査後の各機器の試運転作業においては、作業前準備として各機器の運転マニュアルを参照して現場作業手順書を作成し、手順書を機器試運転作業時に携帯して機器の操作を行っている。
【０００４】
さらに、作業者は、各機器の点検作業を行う際、その現場点検開始前に事務所にて各機器の閾値を携帯端末に取り込む作業を行っている。閾値は、過去の点検時に測定した機器状態データをもとに決定される各機器の正常値範囲に相当する基準値である。作業者は各機器の閾値を取り込んだ携帯端末を現場に持ち込み各機器の点検作業を実施する。作業者は、機器に備えられた計器からその機器の機器状態データを測定し記録をとる。また、作業者は、測定した機器の機器状態データと携帯端末の閾値とを比較し、測定した機器の機器状態データが閾値を逸脱する場合その機器を異常と判定する。機器の異常を発見した場合、前回点検時の機器状態データを参照して、計測結果が大きく変化している個所について、点検マニュアルを参照して、原因を特定している。作業者は、復旧手順書を参照して異常と判定された機器に対する現場での復旧作業を実施している。この現場の復旧作業において参照される最終的な復旧手順書は対象機器の前回復旧時の作業手順や各種マニュアルに基づいて事前に作成されるものである。異常と判定された機器から測定されたデータは、作業者により現場にて記録される。現場にて記録された機器状態データは、作業者が事務所に持ち帰りデータ登録し蓄積を行う。
【０００５】
なお、従来のプラントの機器の点検作業に用いる現場点検監視支援装置としては特許文献１に記載されているものがある。
【特許文献１】特開平５−３５２２８号公報
【発明の開示】
【発明が解決しようとする課題】
【０００６】
しかしながら、このような従来技術による現場点検作業には次のような課題があった。
【０００７】
現場点検作業では複数の点検コースがあり経路が複雑である。このためコースを熟知していない作業者にとっては、点検すべき機器がどこにあるのか把握することが難しい。点検項目や点検方法が複雑である場合は、経験の少ない作業者のみでの点検作業は難しく、経験者が同伴して一緒に作業する必要があった。
【０００８】
また、試運転作業において試運転中に機器のマニュアルや以前の点検時の記録を参照する際に、作業前準備に不備があり機器のマニュアルや点検時の記録などの資料を用意していなかった場合、作業者は、これらの資料を保管しているデータ保管場所である事務所へ戻り、資料を確認する必要があった。
【０００９】
さらに、作業者自身が測定した機器の機器状態データと携帯端末の閾値とを比較し異常判定を行なうため、計測値が異常値であっても見逃してしまうことがあった。また、異常値を発見できても異常値を発見した機器の操作経験が無い場合、データ保管場所である事務所に戻り、機器の復旧手順書や過去の対応記録を確認する必要があった。
【００１０】
その他に、計測した機器の機器状態データは、事務所において作業者が手動で携帯端末からデータ登録用のデータサーバに登録する必要があった。
【００１１】
本発明は上記従来技術の問題を解決するために提案するものであり、その目的は、現場において作業者に対して適切な情報を提供すると共に、作業効率を向上できる現場点検監視支援装置を提供することにある。
【課題を解決するための手段】
【００１２】
本発明に係わる現場点検監視支援装置は、点検対象となるプラントの機器に設置されたタグ装置と、前記機器の機器状態データを収集する現場点検監視支援端末と、前記現場点検監視支援端末により収集された前記機器状態データを履歴データとして格納するデータサーバを具備した現場点検監視支援装置において、  
前記タグ装置は、前記タグ装置を識別するためのタグコードを格納するタグコード保存手段と、前記タグ装置の設置された前記機器の機器状態データを収集する機器データ収集手段とを備え、
前記現場点検監視支援端末は、前記タグ装置の前記タグコード保存手段により格納された前記タグコード及び前記機器データ収集手段により収集された前記機器状態データを読み取るタグデータ読取手段と、前記タグデータ読取手段により読み取られた前記タグコード及び前記機器状態データを前記データサーバへ伝送するデータ伝送手段と、データを表示する表示手段とを備え、
前記データサーバは、前記機器状態データを履歴データとして格納する履歴データデータベースと、前記現場点検監視支援端末の前記データ伝送手段から伝送された前記タグコード及び前記機器状態データを受信するデータ伝送手段と、  前記データ伝送手段により受信された前記機器状態データを前記履歴データデータベースに保存するデータ保存手段と、前記データ伝送手段により受信された前記タグデータに基づき前記履歴データデータベースを検索し、前回点検時の機器状態データを取得するデータ検索手段とを備え、
更に、前記データサーバの前記データ伝送手段は、前記データ検索手段により取得された前記前回点検時の機器状態データを前記現場点検監視支援端末に伝送し、
前記現場点検監視支援端末の前記データ伝送手段は、前記データサーバの前記データ伝送手段から伝送された前記前回点検時の機器状態データを受信し、
前記表示手段は、前記受信された前記前回点検時の機器状態データを前記タグデータ読取手段により読み取られた前記機器状態データと共に表示することを特徴とする。
【発明の効果】
【００１３】
本発明によれば、現場において作業者に対して適切な情報を提供すると共に、作業効率を向上できる現場点検監視支援装置を提供することが可能となる。
【発明を実施するための最良の形態】
【００１４】
以下、図面を参照して、本発明の実施形態について説明する。なおこれら図面中、同一または相当部分には同一符号を付している。
【００１５】
（第１の実施形態）
図１は、本発明の第１の実施形態の現場点検監視支援装置１の全体構成を示すブロック図である。
【００１６】
この図１に示すとおり現場点検監視支援装置１は、発電所１０内のプラント１１の機器１１１〜１１ｍに設置された複数のタグ装置１３１〜１３ｍと、現場点検時に作業員により携帯され使用される現場点検監視支援端末１２と、発電所１０と異なる場所である総合場所２０内に設置されたデータサーバ２１とを備える。
【００１７】
タグ装置１３１〜１３ｍは、当該タグ装置が設置された機器を識別するためのタグコードを保存するタグコード保存手段１３１ａ〜１３ｍａと、対応する機器１１１〜１１ｍの機器状態データを収集する機器データ収集手段１３１ｂ〜１３ｍｂとをそれぞれ備える。なお図１では、便宜上、一つのプラント１１のみ記載しているが、発電所１０にはこれ以外にも複数のプラントが設置されており、これらプラント１１以外の複数のプラントに属する機器にもプラント１１と同様なタグ装置が設置されている。
【００１８】
現場点検監視支援端末１２は、タグ装置１３１〜１３ｍからタグデータ及び機器状態データを読み取るタグデータ読取手段１２１と、通信ネットワークＮ１を介してデータサーバ２１とデータ伝送を行うデータ伝送手段１２２と、データ表示を行う表示手段１２３と、作業者からの指示及びデータ入力を行うための入力手段１２４を備える。
【００１９】
データサーバ２１は、通信ネットワークＮ１を介して現場点検監視支援装置１２とデータ伝送を行なうデータ伝送手段２２と、現場点検監視支援端末１２から伝送される機器状態データを履歴データＤＢ２４ａに出力し保存させるデータ保存手段２３と、機器状態データを履歴データとして格納する履歴データＤＢ２４ａと、現場点検監視支援端末１２からのデータ検索要求に応じて履歴データＤＢ２４ａの履歴データを検索するデータ検索手段２５を備える。
【００２０】
次に、上述した構成を有する現場点検監視支援装置１の動作を説明する。
【００２１】
ここでは、作業者が、現場点検監視支援端末１２をプラント１１の設置場所に持ち運び、機器１１に対して点検作業を行なう場合について説明する。先ず、作業者は、現場点検監視支援端末１２のタグデータ読取手段１２１を機器１１１に設置されたタグ装置１３１に近づけ、次いで、入力手段１２４を操作し機器１１１の機器状態データの読取を指示する。作業者から機器状態データの読取の指示が行われると、タグデータ読取手段１２１は、タグ装置１３１のタグコード保存手段１３１ａよりタグ装置１３１が設置されている機器１１１を特定するための固有のタグコードを読み取る。同時に、タグデータ読取手段１２１は、タグ装置１３１の機器データ収集手段１３１ｂから機器１１１の機器状態データを読み取る。タグデータ読取手段１２１は、読み取った機器１１１のタグコードと機器状態データをデータ伝送手段１２２に出力する。
【００２２】
データ伝送手段１２２は、タグコード読取手段１２１から出力されたタグコードと機器状態データを、通信ネットワークＮ１を介してタグコードをデータサーバ２１に伝送する。また、データ伝送手段１２２は、タグコード読取手段１２１から出力される機器状態データを、機器１１１の今回点検時の機器状態データとして表示手段１２３へ出力する。
【００２３】
一方、データサーバ２１では、データ伝送手段２２が、現場点検監視支援端末１２から伝送されたタグコードを受信する。データ伝送手段２２は、受信したタグコードをデータ検索手段２５へ出力する。データ検索手段２５は、データ伝送手段２２から出力されたタグコードに基づき履歴データＤＢ２４ａを検索し、このタグコードに対応する機器１１１の前回点検時の機器状態データを取得し、データ伝送手段２２へ出力する。データ伝送手段２２は、データ検索手段２５から出力された機器１１１の前回点検時の機器状態データを、通信ネットワークＮ１を介して現場点検監視支援端末１２に伝送する。
【００２４】
現場点検監視支援端末１２のデータ伝送手段１２２は、データサーバ２１から伝送される機器１１１の前回点検時の機器状態データを受信し、表示手段１２３へ出力する。そして、表示手段１２３では、データ伝送手段１２２から出力された機器１１１の前回点検時の機器状態データを今回取得した機器１１１の今回点検時の機器状態データと併せて作業者が比較可能な形式で表示する。
【００２５】
機器１１１の点検作業が終了すると、作業者は、現場点検監視支援端末１２の入力手段１２４を操作し、今回点検時の機器状態データをデータサーバ２１へ伝送するよう指示する。この作業者の指示に応じて、現場点検監視支援端末１２のデータ伝送手段１２２は、タグコード読取手段１２１にて読み取られた機器１１１の今回点検時の機器状態データを、通信ネットワークＮ１を介してデータサーバ２１に伝送する。
【００２６】
データサーバ２１においては、データ伝送手段２２が、現場点検監視支援端末１２から伝送された機器１１１の今回点検時の機器状態データを受信し、この受信した機器１１１の今回点検時の機器状態データをデータ保存手段２３へ出力する。データ保存手段２３は、データ伝送手段２２から出力された機器１１１の今回点検時の機器状態データを履歴データとして履歴データＤＢ２４ａに保存する。
【００２７】
このように第１の実施形態では、表示手段１２３において、前回点検時の機器状態データを今回点検時の機器状態データと併せて比較可能な形式で表示するので、作業者が、前回点検時の機器状態データに基づいて、今回点検時の機器状態データが異常か否かを確認することができる。よって、作業者は、現場にて機器に異常が発生しているか否かを容易に確認することができる。
【００２８】
なお、履歴データＤＢ２４ａには、履歴データとして、機器状態データに加えて、この機器状態データの正常値範囲を示す閾値データを併せて格納しても良い。この場合、データサーバ２１のデータ検索手段２５は、履歴データＤＢ２４ａの検索時には前回点検時の機器状態データと共に閾値データも検索する。現場点検監視支援端末１２の表示手段１２３では、今回点検時の機器状態データ、前回点検時の機器状態データと共に、閾値データも併せて作業者が比較可能な形式で表示する。
【００２９】
以上は点検作業時について説明したが、点検試運転時に試運転の対象となるプラントの機器の前回点検時の機器状態データを表示する場合も同様の動作により行なえる。
【００３０】
また、上述した実施形態では、データサーバ２１から所定の機器の機器状態データを個別に取得する方法について説明した。しかしこれに限らず、例えば、作業者が指定する点検作業対象の点検コースについて、その点検コース上に配置された全て或いは複数の機器の機器状態データと対応するタグコードを、予め一括してデータサーバ２１から現場点検監視支援端末１２に伝送し、現場点検監視支援端末１２の記憶手段（図示せず）にて記憶させておいても良い。この場合、現場点検監視支援端末１２では、次の動作を行なう。すなわち、データ伝送手段１２２は、タグコード読取手段１２１が読み取ったタグコードについて現場点検監視支援端末１２の記憶手段に記憶されているか否かを判断する。タグコードが記憶手段に記憶されていない場合、データ伝送手段１２２は上述した場合と同様にタグコードをデータサーバ２１に伝送する。一方、タグコードが記憶手段に既に記憶されている場合、データ伝送手段１２２は記憶手段から対応する機器状態データを取得し、表示手段１２３に出力する。この場合、データ伝送手段１２２はタグコードをデータサーバ２１に伝送しない。
【００３１】
（第２の実施形態）
図２は、第２の実施形態の現場点検監視支援装置１ｂの全体構成を示すブロック図である。第２の実施形態の現場点検監視支援装置１ｂは、第１の実施形態の現場点検監視支援装置１の構成に対し、データサーバ２１に、設備データを格納する設備データＤＢ２４ｂを更に備えた構成を有する。
【００３２】
設備データＤＢ２４ｂは、設備データとして、発電所１０の複数のプラントの各機器に関する図面データ、点検マニュアルデータ（点検項目、点検内容を含む）、機器の操作方法に関する操作マニュアルデータ（機器の異常を発見した際の復旧手順を示すマニュアルデータも含む）を格納している。
【００３３】
このように設備データＤＢ２４ｂを備えることで、現場で、現場点検監視支援端末１２にて、前回点検時の機器状態データの表示に加え、設備データも表示するようにした。
【００３４】
次に第２の実施形態の現場点検監視支援装置１ｂの動作を説明する。作業者から機器状態データの読取の指示が行われると、タグデータ読取手段１２１は、タグ装置１３１のタグコード保存手段１３１ａよりタグ装置１３１が設置された機器１１１を特定するための固有のタグコードを読み取る。そしてデータ伝送手段１２２が、タグデータ読取手段１２１より読み取られたタグコードを、通信ネットワークＮ１を介して、データサーバ２１に伝送する。
【００３５】
データサーバ２１では、データ伝送手段２２が、データ伝送手段１２２より伝送された機器１１１のタグコードを受信し、データ検索手段２５に出力する。データ検索手段２５は、データ伝送手段２２から出力された機器１１１のタグコードに基づき、履歴データＤＢ２４ａを検索して機器１１１の前回点検時の機器状態データを取得する。また、データ検索手段２５は、機器１１１のタグコードに基づき設備データＤＢ２４ｂを検索して機器１１１の設備データを取得する。データ検索手段２５は、取得した機器１１１の前回点検時の機器状態データと設備データをデータ伝送手段２２に出力する。データ伝送手段２２は、データ検索手段２５から出力された機器１１１の前回点検時の機器状態データと設備データを、通信ネットワークＮ１を介して現場点検監視支援端末１２に伝送する。
【００３６】
現場点検監視支援端末１２のデータ伝送手段１２２は、データサーバ２１から伝送される機器１１１の前回点検時の機器状態データと設備データを受信し、表示手段１２３へ出力する。そして、表示手段１２３において、機器１１１の前回点検時の機器状態データと機器１１１の今回点検時の機器状態データとを比較可能な形式で表示すると共に、更に機器１１１の設備データも表示する。
【００３７】
このように第２の実施形態では、点検作業時に作業対象の機器の図面データ、点検マニュアルデータ、操作マニュアルデータといった設備データを現場点検監視支援端末１２に表示するようにしたので、作業者が現場で容易に確認することが可能となる。
【００３８】
また、第２の実施形態の現場点検監視支援装置１ｂにおいて上述した点検対象機器の設備データを表示する動作以外の動作は、上述した第１の実施形態の現場点検監視支援装置１と同様である。
【００３９】
なお、上記では点検作業時について説明したが、点検試運転時に試運転の対象となるプラントの機器の設備データを表示する場合も同様の動作により行なえる。
【００４０】
また、上述した実施形態では、データサーバ２１から所定の機器の機器状態データと設備データを個別に取得する方法について説明した。しかしこれに限らず、例えば、作業者が指定する点検作業対象の点検コースについて、その点検コース上に配置された全て或いは複数の機器の機器状態データ、設備データ及び対応するタグコードを、予め一括してデータサーバ２１から現場点検監視支援端末１２に伝送し、現場点検監視支援端末１２の記憶手段（図示せず）にて記憶させておいても良い。この場合、データ伝送手段１２２は、タグコード読取手段１２１が読み取ったタグコードについて現場点検監視支援端末１２の記憶手段に記憶されているか否かを判断する。タグコードが記憶手段に記憶されていない場合、データ伝送手段１２２は上述した場合と同様にタグコードをデータサーバ２１に伝送する。一方、タグコードが記憶手段に既に記憶されている場合、データ伝送手段１２２は記憶手段から対応する機器状態データ、設備データを取得し、表示手段１２３に出力する。この場合、データ伝送手段１２２はタグコードをデータサーバ２１に伝送しない。
【００４１】
（第３の実施形態）
図３は、第３の実施形態の現場点検監視支援装置１ｃの全体構成を示すブロック図である。第３の実施形態の現場点検監視支援装置１ｃは、第２の実施形態の現場点検監視支援装置１ｂの構成に対し、データサーバ２１に点検履歴データを格納する点検履歴データＤＢ２４ｃを更に備えた構成を有する。
【００４２】
点検履歴データＤＢ２４ｃは、点検履歴データとして、作業者より入力される点検作業時の各機器のチェック結果データや気付き事項データや点検試運転時の各機器の点検試運転履歴データを格納している。
【００４３】
これにより現場点検監視支援装置１ｃでは、現場点検監視支援端末１２にて、点検対象機器のタグ装置からタグコードを読み取ることにより、該当機器の前回点検時の機器状態データと設備データに加え、点検履歴データも表示するようにした。
【００４４】
次に第３の実施形態の現場点検監視支援装置１ｃの動作を説明する。
【００４５】
機器１１１に対する点検作業時に、作業者からの現場点検監視支援端末１２の操作により、データ入力手段１２４によって機器１１１の点検時のチェック結果や気付き事項に関するデータが入力される。データ伝送手段１２２は入力された機器１１１のチェック結果データや気付き事項データを、通信ネットワークＮ１を介してデータサーバ２１に伝送する。機器１１１に対する点検試運転時に作業者からデータ入力手段１２４によって点検試運転履歴データが入力されたときも、データ伝送手段１２２は入力された機器１１１の点検試運転履歴データを、通信ネットワークＮ１を介してデータサーバ２１に伝送する。
【００４６】
一方、データサーバ２１においては、データ伝送手段２２が現場点検監視支援端末１２から伝送される機器１１１のチェック結果データ、気付き事項データ、点検試運転履歴データを受信し、受信したこれら機器１１１の点検履歴データをデータ保存手段２３に出力する。データ保存手段２３は、データ伝送手段２２から出力された機器１１１の点検履歴データを点検履歴データＤＢ２４ｃに保存する。
【００４７】
上記したように機器１１１の点検履歴データが点検履歴データＢＤ２４ｃに格納された後、機器１１１に対する点検作業（次回点検作業）が行われる場合、次の通り機器１１１の点検履歴データを表示する。
【００４８】
即ち、次回点検作業時に、作業者から機器状態データの読取の指示が行われると、タグデータ読取手段１２１は、タグ装置１３１のタグコード保存手段１３１ａよりタグ装置１３１が設置された機器１１１を特定するための固有のタグコードを読み取る。そしてデータ伝送手段１２２が、タグデータ読取手段１２１より読み取られたタグコードを、通信ネットワークＮ１を介して、データサーバ２１に伝送する。
【００４９】
データサーバ２１では、データ伝送手段２２が現場点検監視支援端末１２から伝送される機器１１１のタグコードを受信し、データ検索手段２５に出力する。データ検索手段２５は、この機器１１１のタグコードに基づき履歴データＤＢ２４ａ及び設備データＤＢ２４ｂをそれぞれ検索して機器１１１の前回点検時の機器状態データ及び設備データを取得する。更に、データ検索手段２５は、機器１１１のタグコードに基づき点検履歴データＤＢ２４ｃを検索して機器１１１の点検履歴データを取得する。データ検索手段２５は、取得した機器１１１の前回点検時の機器状態データ、設備データ及び点検履歴データをデータ伝送手段２２に出力する。データ伝送手段２２は、データ検索手段２５から出力された機器１１１の前回点検時の機器状態データと設備データ及び点検履歴データを、通信ネットワークＮ１を介して現場点検監視支援端末１２に伝送する。
【００５０】
現場点検監視支援端末１２のデータ伝送手段１２２は、データサーバ２１から伝送される機器１１１の前回点検時の機器状態データと設備データ及び点検履歴データを受信し、表示手段１２３へ出力する。そして、表示手段１２３において、機器１１１の前回点検時の機器状態データと機器１１１の今回点検時の機器状態データとを比較可能な形式で表示し、更に、機器１１１の設備データと点検履歴データとを併せて表示する。
【００５１】
このように、設備データの点検マニュアルデータ（点検項目、点検内容）と合わせて点検履歴データ（前回点検時のチェック結果データ、気付き事項データ、点検試運転履歴データ）を表示するので、作業者は、点検履歴データを参照することにより、今回の点検作業における重点事項や注意事項について容易に確認することができる。
【００５２】
なお、第３の実施形態の現場点検監視支援装置１ｃにおいて上述した点検対象機器の点検履歴データを表示する動作以外の動作は、上述した第２の実施形態の現場点検監視支援装置１ｃと同様である。
【００５３】
以上は点検作業時について説明したが、点検試運転時に試運転の対象となるプラントの機器の点検履歴データを表示する場合も同様の動作により行える。
【００５４】
また、上述した実施形態では、データサーバ２１から所定の機器の機器状態データ、設備データ、点検履歴データを個別に取得する方法について説明した。しかしこれに限らず、例えば、作業者が指定する点検作業対象の点検コースについて、その点検コース上に配置された全て或いは複数の機器の機器状態データ、設備データ、点検履歴データ及び対応するタグコードを、予め一括してデータサーバ２１から現場点検監視支援端末１２に伝送し、現場点検監視支援端末１２の記憶手段（図示せず）にて記憶させておいても良い。この場合、データ伝送手段１２２は、タグコード読取手段１２１が読み取ったタグコードについて現場点検監視支援端末１２の記憶手段に記憶されているか否かを判断する。タグコードが記憶手段に記憶されていない場合、データ伝送手段１２２は上述した場合と同様にタグコードをデータサーバ２１に伝送する。一方、タグコードが記憶手段に既に記憶されている場合、データ伝送手段１２２は記憶手段から対応する機器状態データ、設備データ、点検履歴データを取得し、表示手段１２３に出力する。この場合、データ伝送手段１２２はタグコードをデータサーバ２１に伝送しない。
【００５５】
（第４の実施形態）
図４は、第４の実施形態の現場点検監視支援装置１ｄの全体構成を示すブロック図である。第４の実施形態の現場点検監視支援装置１ｄは、第３の実施形態の現場点検監視支援装置１ｃの構成に対し、データサーバ２１が機器配置図データを格納する機器配置図データＤＢ２４ｄと点検順路データを格納する点検順路データＤＢ２４ｅとを更に備えた構成を有する。
【００５６】
機器配置図データＤＢ２４ｄに格納された機器配置図データは、発電所１０の建屋内に配置されている各機器の配置位置を示したデータである。点検順路データＤＢ２４ｅは、発電所１０内の複数の点検順路について、点検順路毎に点検対象となる複数の機器の点検順序及びその点検順路を示したデータである。
【００５７】
次に第４の実施形態の現場点検監視支援装置１ｄの動作を説明する。
【００５８】
先ず、点検作業開始時に、作業者による現場点検監視支援端末１２のデータ入力手段１２４の操作により、点検作業の対象とする点検順路が指定されると、データ伝送手段１２２は、データ入力手段１２４から入力された点検順路を示す点検順路指定データを、通信ネットワークＮ１を介してデータサーバ２１に伝送する。
【００５９】
データサーバ２１では、データ伝送手段２２が現場点検監視支援端末１２から伝送された点検順路指定データを受信し、データ検索手段２５に出力する。データ検索手段２５は、データ伝送手段２２から出力された点検順路指定データに基づいて点検順路データＤＢ２４ｄ及び機器配置図データＤＢ２４ｅをそれぞれ検索し、対応する点検順路データ及び機器配置図データをそれぞれ取得する。そして、データ検索手段２５は、取得した点検順路データ及び機器配置図データをデータ伝送手段２２に出力する。データ伝送手段２２は、データ検索手段２５から出力された点検順路データ及び機器配置図データを、通信ネットワークＮ１を介して現場点検監視支援端末１２に伝送する。
【００６０】
現場点検監視支援端末１２では、データ伝送手段１２２が、データサーバ２１から伝送された点検順路データ及び機器配置図データを受信し、表示手段１２３に出力する。そして、表示手段１２３は、データ伝送手段１２２から出力された点検順路データ及び機器配置図データを表示する。
【００６１】
ここで、例えば、作業者が、プラント１１の機器１１１を含み且つ機器１１１を最初の点検対象とする点検ルートを点検開始時に指定した場合を説明する。このとき、表示手段１２３では、機器１１１が配置された建屋の入口から機器１１１の配置位置までの順路を点検順路データとして表示し、また、建屋内の機器１１１の配置図を機器配置図データとして表示する。
【００６２】
機器１１１に対する点検作業が終了すると、作業者から現場点検監視支援端末１２のデータ入力手段１２４により機器１１１の点検終了データが入力される。データ入力手段１２４により機器１１１の点検終了データが入力されると、データ伝送手段１２２は、この機器１１１の点検終了データを、通信ネットワークＮ１を介してデータサーバ２１に伝送する。
【００６３】
データサーバ２１では、データ伝送手段２２が現場点検監視支援端末１２から伝送された機器１１１の点検終了データを受信し、データ検索手段２５に出力する。データ検索手段２５は、データ伝送手段２２から出力された機器１１１の点検終了データに基づいて点検順路データＤＢ２４ｄ及び機器配置図データＤＢ２４ｅをそれぞれ検索し、機器１１１の次の点検順番の機器に関する点検順路データ及び機器配置図データをそれぞれ取得する。そして、データ検索手段２５は、取得した次の点検順番の機器に関する点検順路データ及び機器配置図データをデータ伝送手段２２に出力する。データ伝送手段２２は、データ検索手段２５から出力された次の点検順番の機器に関する点検順路データ及び機器配置図データを、通信ネットワークＮ１を介して現場点検監視支援端末１２に伝送する。
【００６４】
現場点検監視支援端末１２では、データサーバ２１から伝送された次の点検順番の機器に関する点検順路データ及び機器配置図データをデータ伝送手段１２２にて受信し、表示手段１２３に出力する。そして、表示手段１２３にて、データ伝送手段１２２から出力された次の点検順番の機器に関する点検順路データ及び機器配置図データを表示する。
【００６５】
第４の実施形態の現場点検監視支援装置１ｄにおいて上述した点検順路データ及び機器配置図データを表示する動作以外の動作は、上述した第３の実施形態の現場点検監視支援装置１ｃと同様である。
【００６６】
このように第４の実施形態では、点検作業時に作業対象の機器の点検順路データ及び機器配置図データを表示するので、作業者は、作業対象の機器の点検順路及び配置位置を容易に確認できる。このため、建屋内の機器に不慣れな作業者でも点検作業の作業を容易に行なうことが可能となる。
【００６７】
以上は点検作業時について説明したが、点検試運転時に試運転の対象となるプラントの機器の点検順路データ及び機器配置図データを表示する場合も同様の動作により行なえる。
【００６８】
また、上述した実施形態では、データサーバ２１から所定の機器の点検順路データ及び機器配置図データを個別に取得する方法について説明した。しかしこれに限らず、例えば、作業者が指定する点検作業対象の点検コースについて、その点検コース上に配置された全て或いは複数の機器の点検順路データ、機器配置図データを、予め一括してデータサーバ２１から現場点検監視支援端末１２に伝送し、現場点検監視支援端末１２の記憶手段（図示せず）にて記憶させておいても良い。この場合、データ入力手段１２４により所定の機器の点検終了データが入力されると、データ伝送手段１２２は、次の点検順番の機器に関する点検順路データ及び機器配置図データが現場点検監視支援端末１２の記憶手段に記憶されているか否かを判断する。次の点検順番の機器に関する点検順路データ及び機器配置図データが記憶手段に記憶されていない場合、データ伝送手段１２２は上述した場合と同様に所定の機器の点検終了データをデータサーバ２１に伝送する。一方、次の点検順番の機器に関する点検順路データ及び機器配置図データが記憶手段に既に記憶されている場合、データ伝送手段１２２は記憶手段から次の点検順番の機器に関する点検順路データ及び機器配置図データを取得し、表示手段１２３に出力する。この場合、データ伝送手段１２２は所定の機器の点検終了データをデータサーバ２１に伝送しない。
【００６９】
（第５の実施形態）
図５は、第５の実施形態の現場点検監視支援装置１ｅの全体構成を示すブロック図である。第５の実施形態の現場点検監視支援装置１ｅは、第４の実施形態の現場点検監視支援装置１ｄの構成に対し、更に、発電所１０のプラント１１の建屋の各階に統合タグ装置１４を備えると共に、タグ装置１３１〜１３ｍに通信手段１３１ｃ〜１３ｍｃ及び発光手段１３１ｄ〜１３ｍｄをそれぞれ備え、また、現場点検監視支援端末１２に通信手段１２５を備えた構成を有する。ここで、便宜上、図５には統合タグ装置１４は一つのみ記載しているが、プラント１１の建屋の階数に対応する個数分の統合タグ装置１４が設置されている。
【００７０】
機器１１１〜１１ｍの各機器はプラント１１の建屋の各階に分かれてそれぞれ配置されており、機器配置図データＤＢ２４ｅには、プラント１１の建屋の各階ごとに、対応する階に存在する機器の配置位置を示すフロワ全体の機器配置図データが格納されている。
【００７１】
次に第５の実施形態の現場点検監視支援装置１ｅの動作を説明する。
【００７２】
プラント１１の建屋の各階の入口に到達すると、作業者は現場点検監視支援端末１２を操作し、タグデータ読取手段１２１によって階入口に設置された統合タグ装置１４から統合タグコードを読み取る。例えば、１階入口の場合、タグデータ読取手段１２１は１階の入口に設置された統合タグ装置１４の統合タグコードを読み取る。データ伝送手段１２２は、タグデータ読取手段１２１にて読み取った１階の統合タグ装置１４の統合タグコードを、通信ネットワークＮ１を介してデータサーバ２１に伝送する。
【００７３】
データサーバ２１では、データ伝送手段２２が現場点検監視支援端末１２から伝送された１階の統合タグ装置１４の統合タグコードを受信し、データ検索手段２５に出力する。データ検索手段２５は、データ伝送手段２２から出力された１階の統合タグ装置１４の統合タグコードに基づいて機器配置図データＤＢ２４ｅを検索し、１階のフロア全体の機器配置図データを取得する。そして、データ検索手段２５は、取得した１階のフロア全体の機器配置図データをデータ伝送手段２２に出力する。データ伝送手段２２は、データ検索手段２５から出力された１階のフロア全体の機器配置図データを、通信ネットワークＮ１を介して現場点検監視支援端末１２に伝送する。
【００７４】
現場点検監視支援端末１２では、データ伝送手段１２２がデータサーバ２１から伝送された１階のフロア全体の機器配置図データを受信し、表示手段１２３に出力する。表示手段１２３では、データ伝送手段１２２から出力された１階のフロア全体の機器配置図データを表示する。
【００７５】
表示手段１２３において１階のフロア全体の機器配置図データを表示すると、作業者は、データ入力手段１２４を操作し、表示手段１２３に表示された機器配置図の機器の中から点検対象とする機器を選択する。データ入力手段１２４により所定の機器が選択されると、通信手段１２５は、選択された所定の機器のタグ装置に対して、当該タグ装置の設置された機器が選択された旨を通知する機器選択通知データを送信する。例えば、機器１１１が選択された場合、通信手段１２５はタグ装置１３１に対して機器１１１が選択された旨を通知する機器選択通知データを送信する。タグ装置１３１では、その通信手段１３１ｃが、現場点検監視支援端末１２より送信された機器選択通知データを受信する。通信手段１３１ｃにより機器選択通知データが受信されると、発光手段１３１ｄが発光する。
【００７６】
なお、第５の実施形態の現場点検監視支援装置１ｅにおいて、上述した発光手段を発光させる際の動作以外の動作については、第４の実施形態の現場点検監視支援装置１ｄと同様である。
【００７７】
このように第５の実施形態では、作業者により選択された機器に設置したタグ装置の発光手段を発光させることにより、プラントの設置された建屋のフロア内の機器の設置位置を容易に確認することが可能になる。
【００７８】
以上は点検作業時について説明したが、点検試運転時に試運転の対象となるプラントの機器に設置したタグ装置の発光手段を発光させる場合も同様の動作により行なえる。
【００７９】
（第６の実施形態）
図６は、第６の実施形態の現場点検監視支援装置１ｆの全体構成を示すブロック図である。第６の実施形態の現場点検監視支援装置１ｆは、第５の実施形態の現場点検監視支援装置１ｅの構成に対し、更に、データサーバ２１においてタグコード関連付けデータＤＢ２４ｆを備えた構成を有する。また、機器を構成する部品に対してもタグ装置を設置した構成を有しており、例えば、図６のように、機器１１１を構成する部品１１１ａ〜１１１ｍに対してタグ装置が設置される。なお、図６では、部品１１１ａに設置されているタグ装置１３１１のみ記載しているが、機器１１１のその他の部品のタグ装置もタグ装置１３１１と同様の構成を有する。また、プラント１１の機器１１１以外の機器を構成する部品に設置されているタグ装置もタグ装置１３１１と同様の構成を有する。
【００８０】
また、データサーバ２１のタグコード関連付けデータＤＢ２４ｆの例を図７に示す。図７に示すように、タグコード関連付けデータＤＢ２４ｆは、発電所内のプラント１１の各階の統合タグ装置１４の統合タグコードと各機器１１１〜１１ｍに設置されたタグ装置１３１〜１３ｍのタグコードを親子関係として関連付け、更に各機器１１１〜１１ｍに設置されたタグ装置１３１〜１３ｍのタグコードと各機器１１１〜１１ｍそれぞれの部品に設置されたタグ装置のタグコードを親子関係として関連付けたタグコード関連付けデータを格納している。
【００８１】
次に第６の実施形態の現場点検監視支援装置１ｆの動作を説明する。
【００８２】
ここで、例えば、第５の実施形態にて説明した動作によって現場点検監視支援端末１２の表示手段１２３において、プラント１１の建屋内の１階のフロア全体の機器配置図データが表示されているとする。このとき、作業者によりデータ入力手段１２４が操作され、表示手段１２３にて表示された１階のフロア全体の機器配置図の機器の中から点検対象とする機器が選択されると、データ伝送手段１２２は、選択された点検対象の機器を示す点検対象機器データを、通信ネットワークＮ１を介してデータサーバ２１に伝送する。
【００８３】
データサーバ２１では、データ伝送手段２２が現場点検監視支援端末１２から伝送された点検対象機器データを受信し、データ検索手段２５に出力する。データ検索手段２５は、データ伝送手段２２から出力された点検対象機器データに基づいてタグコード関連付けデータＤＢ２４ｆを検索し、点検対象の機器の機器タグコードと当該点検対象の機器に設置された部品の部品タグコードを取得する。更に、データ検索手段２５は、取得した点検対象の機器の機器タグコードと当該点検対象の機器に設置された部品の部品タグコードに基づいて履歴データＤＢ２４ａ、設備データＤＢ２４ｂ、点検履歴データＤＢ２４ｃを検索し、点検対象の機器の履歴データ、設備データ、点検履歴データを取得すると共に、更に、当該点検対象の機器に設置された各部品の履歴データ、設備データ、点検履歴データを取得する。そして、データ検索手段２５は、取得した点検対象の機器及び当該点検対象の機器に設置された各部品の履歴データ、設備データ、点検履歴データ、部品タグコードをデータ伝送手段２２に出力する。データ伝送手段２２は、データ検索手段２５から出力された点検対象の機器及び当該点検対象の機器に設置された各部品の履歴データ、設備データ、点検履歴データ、部品タグコードを、通信ネットワークＮ１を介して現場点検監視支援端末１２に伝送する。
【００８４】
現場点検監視支援端末１２では、データ伝送手段１２２が、データサーバ２１から伝送された点検対象の機器及び当該点検対象の機器に設置された各部品の履歴データ、設備データ、点検履歴データ、部品タグコードを受信し、表示手段１２３に出力する。
【００８５】
また、データ伝送手段１２２は、受信された点検対象の機器及び当該点検対象の機器に設置された各部品の履歴データ、設備データ、点検履歴データ、部品タグコードを現場点検監視支援端末１２の図示しない記憶手段に記憶する。
【００８６】
表示手段１２３では、データ伝送手段１２２から出力された点検対象の機器及び当該点検対象の機器に設置された各部品の履歴データ、設備データ、点検履歴データを表示する。ここで、表示手段１２３における表示では、先ず、点検対象の機器の履歴データ、設備データ、点検履歴データを表示すると共に、当該点検対象の機器に設置された各部品の一覧などを表示する。なお、部品タグコードは各部品の一覧に対応させて表示しても良い。或いは、部品タグコードは表示しないが、表示手段１２３が、一覧表示している各部品に対応する部品タグコードとして内部的に保持しておいても良い。
【００８７】
作業者によりデータ入力手段１２４が操作され、表示手段１２３に表示された当該点検対象の機器に設置された各部品の一覧から所定の部品が選択された場合、表示手段１２３は、選択された部品に対応する部品タグコードに基づき記憶手段を検索し、記憶手段から対応する部品の履歴データ、設備データ、点検履歴データを取得し、表示する。
【００８８】
このように第６の実施形態では、点検対象の機器の履歴データ、設備データ、点検履歴データだけでなく、当該点検対象の機器の部品の履歴データ、設備データ、点検履歴データを表示することにより、作業者は、部品の図面や点検履歴を現場で容易に確認することが可能になる。
【００８９】
なお、第６の実施形態の現場点検監視支援装置１ｆにおいて上述した点検対象の機器に設置された各部品の履歴データ、設備データ、点検履歴データを表示する際の動作以外の動作は、上述した第５の実施形態の現場点検監視支援装置１ｅと同様である。
【００９０】
以上は点検作業時について説明したが、点検試運転時に試運転の対象となるプラントの機器に設置された各部品の履歴データ、設備データ、点検履歴データを表示する場合も同様の動作により行なえる。
【００９１】
（第７の実施形態）
図８は、第７の実施形態の現場点検監視支援装置１ｇの全体構成を示すブロック図である。第７の実施形態の現場点検監視支援装置１ｇは、第６の実施形態の現場点検監視支援装置１ｆの構成に対し、更に、データサーバ２１において閾値データＤＢ２４ｇ及び判定手段２６を備えた構成を有する。
【００９２】
閾値データＤＢ２４ｇは、閾値データとして、プラント１１の各機器１１１〜１１ｍについて予め設定された機器状態データの正常値範囲を示す閾値をそれぞれ格納している。判定手段２６は、点検対象の機器から測定した機器状態データの現在値と閾値データＤＢ２４ｇの対応する閾値データの閾値を比較し、現在値が閾値データの閾値を超過しているか否かを判定するものである。
【００９３】
次に第７の実施形態の現場点検監視支援装置１ｇの動作を説明する。
【００９４】
ここでは、例えば、機器１１１の機器状態データを測定する場合を説明する。
【００９５】
作業者からの現場点検監視支援端末１２の操作により、機器１１１の機器状態データの読取が指示されると、タグデータ取込手段１２１は、タグ装置１３１のタグコード保存手段１３１ａ及び機器データ収集手段１３１ｂより、タグ装置１３１のタグコード及び機器１１１の機器状態データをそれぞれ読み取る。これら読み取ったタグ装置１３１のタグコード及び機器１１１の機器状態データは、データ伝送手段１２２により、通信ネットワークＮ１を介してデータサーバ２１に伝送される。
【００９６】
一方、データサーバ２１では、データ伝送手段２２が、現場点検監視支援端末１２から伝送されたタグ装置１３１のタグコードと機器１１１の機器状態データを受信する。そして、データ伝送手段２２は、タグ装置１３１のタグコードと機器１１１の機器状態データを判定手段２６に出力する。また、データ伝送手段２２は、タグ装置１３１のタグコードをデータ検索手段２５に出力する。データ検索手段２５は、伝送されたタグ装置１３１のタグコードに基づき閾値データＤＢ２４ｇを検索し、対応する機器１１１の機器状態データの閾値データを取得し、判定手段２６に出力する。判定手段２６は、データ検索手段２５から出力された機器１１１の機器状態データの閾値データで示される閾値とデータ伝送手段２２から出力された機器１１１の機器状態データの現在値とを比較し、現在値が閾値を超過しているか否かを判定する。この結果、現在値が閾値を超過していると判定した場合、機器の状態が警報すべき警報状態になっていることを作業者に警報すべく、判定手段２６は、現在値が閾値を超過していることを示す警報データをデータ伝送手段２２に出力する。このとき、判定手段２６は、タグ装置１３１のタグコードを警報データに付加してデータ伝送手段２２に出力する。そして、データ伝送手段２２は、このタグ装置１３１のタグコードの付加された警報データを、通信ネットワークＮ１を介して現場点検監視支援端末１２に伝送される。
【００９７】
現場点検監視支援端末１２では、データ伝送手段１２２が、データサーバ２１から伝送されたタグ装置１３１のタグコードの付加された警報データを受信し、通信手段１２５に出力する。通信手段１２５は、データ伝送手段１２２から出力された警報データに付加されたタグコードに基づき警報対象となる機器１１１を特定し、当該機器１１１に対応するタグ装置１３１に対して、警報データを送信する。
【００９８】
タグ装置１３１では、その通信手段１３１ｃが現場点検監視支援端末１２の通信手段１２５から送信された警報データを受信すると、発光手段１３１ｄが発光する。
【００９９】
第７の実施形態の現場点検監視支援装置１ｇにおいて上述した機器の警報状態の警報を行う際の動作以外の動作は、上述した第６の実施形態の現場点検監視支援装置１ｆと同様である。
【０１００】
このように第７の実施形態では、点検対象の機器の中で警報状態になっている機器について点検作業前に対応するタグ装置を発光するようにしたので、作業員が点検作業前に点検対象の機器の異常を検知することが可能となる。
【０１０１】
以上は点検作業時について説明したが、点検試運転時に試運転の対象となるプラントの機器の中で警報状態になっている機器について点検作業前に対応するタグ装置を発光する場合も同様の動作により行なえる。
【０１０２】
（第８の実施形態）
図９は、第８の実施形態の現場点検監視支援装置１ｈの全体構成を示すブロック図である。第８の実施形態の現場点検監視支援装置１ｈは、第７の実施形態の現場点検監視支援装置１ｇの構成に対し、更に、データサーバ２１において機器交換履歴データＤＢ２４ｈと算出手段２７を備えた構成を有する。
【０１０３】
機器交換履歴データＤＢ２４ｈは、機器交換履歴データとして、プラント１１の各機器１１１〜１１ｍについて過去の交換年月日などを示す機器交換履歴データをそれぞれ格納している。また、設備データＤＢ２４ｂには、機器情報データとして、更に各機器１１１〜１１ｍについて予め設定されている総運転時間、運転回数、運転期間などの交換条件データをそれぞれ格納している。算出手段２７は、機器交換履歴データＤＢ２４ｈの機器交換履歴データと設備データＤＢ２４ｂの交換条件データとから所定機器の次回交換時期を算出する。
【０１０４】
次に第８の実施形態の現場点検監視支援装置１ｈの動作を説明する。ここでは、例えば、機器１１１を点検する場合を説明する。
【０１０５】
作業者からの現場点検監視支援端末１２の操作により、機器１１１のタグコードの読取が指示されると、タグデータ取込手段１２１は、タグ装置１３１のタグコード保存手段１３１ａからタグ装置１３１のタグコードを読み取る。この読み取ったタグ装置１３１のタグコードは、データ伝送手段１２２が通信ネットワークＮ１を介してデータサーバ２１に伝送する。
【０１０６】
データサーバ２１では、データ伝送手段２２が、現場点検監視支援端末１２から伝送されたタグ装置１３１のタグコードを受信し、データ検索手段２５に出力する。データ検索手段２５は、データ伝送手段２２から出力されたタグ装置１３１のタグコードに基づき、設備データＤＢ２４ｂ及び機器交換履歴データＤＢ２４ｈをそれぞれ検索し、対応する機器１１１の交換条件データ及び機器交換履歴データをそれぞれ取得する。データ検索手段２５は、取得した機器１１１の交換条件データ及び機器交換履歴データを、算出手段２７に出力する。算出手段２７は、データ検索手段２５から出力された機器１１１の交換条件データと機器交換履歴データに基づき機器１１１の次回交換時期を算出し、この算出した次回交換時期が近づいているか否かを判定する。次回交換時期が近づいていると判定した場合、算出手段２７は、次回交換時期が近づいていることを示す交換アラームデータをデータ伝送手段２２に出力する。ここで、算出手段２７から出力される交換アラームデータには、次回交換時期を示すデータを含む。
【０１０７】
データ伝送手段２２は、算出手段２７から出力された交換アラームデータを、データ検索手段２５によって別途取得され出力される点検項目等の設備データに付加し、これらデータを通信ネットワークＮ１を介して現場点検監視支援端末１２に伝送する。
【０１０８】
現場点検監視支援端末１２では、データ伝送手段１２２が、データサーバ２１から伝送された機器１１１に対する交換アラームデータと点検項目等の設備データを受信し、表示手段１２３に出力する。表示手段１２３は、データ伝送手段１２２から出力された点検項目等の設備データを表示すると共に、交換アラームデータに基づいて機器１１１の次回交換時期が近づいている旨を警告表示する。この警告表示では次回交換時期を示すデータの表示も行なう。
【０１０９】
また、例えば、機器１１１の交換作業を行った場合、作業者は、現場点検監視支援端末１２のデータ入力手段１２４を操作し、機器１１１の交換作業を行った旨を示す機器交換データを入力する。このデータ入力手段１２４より入力された機器１１１の機器交換データは、データ伝送手段１２２より通信ネットワークＮ１を介してデータサーバ２１に伝送される。
【０１１０】
データサーバ２１では、データ伝送手段２２が、現場点検監視支援端末１２から伝送された機器１１１の機器交換データを受信し、データ保存手段２３に出力する。データ保存手段２３は、データ伝送手段２２から出力された機器１１１の機器交換データを機器交換履歴データとして機器交換履歴データＤＢ２４ｈに格納する。
【０１１１】
第８の実施形態の現場点検監視支援装置１ｈにおいて上述した次回交換時期が近づいている旨の警告表示を行う際の動作以外の動作は、上述した第７の実施形態の現場点検監視支援装置１ｇと同様である。
【０１１２】
このように第８の実施形態では、作業者が点検対象の機器の点検項目を現場で参照するタイミングに合わせて次回交換時期が近づいている旨を警告表示し、またその次回交換時期を表示することにより、作業者は現場にて次回交換次期が近づいていることを容易に確認できるため、機器やその機器の部品の交換漏れを防ぐことを可能とする。
【０１１３】
以上は点検作業時について説明したが、点検試運転時に試運転の対象となるプラントの機器について次回交換時期が近づいている旨の警告表示を行う場合も同様の動作により行なえる。
【０１１４】
なお、本発明は、上記実施形態そのままに限定されるものではなく、実施段階ではその要旨を逸脱しない範囲で構成要素を変形して具体化できる。また上記実施形態に開示されている複数の構成要素の適宜な組み合わせにより種々の発明を形成できる。例えば、実施形態に示される全構成要素からいくつかの構成要素を削除してもよい。
【図面の簡単な説明】
【０１１５】
【図１】第１の実施形態の現場点検監視支援装置１の全体構成を示すブロック図。
【図２】第２の実施形態の現場点検監視支援装置１ｂの全体構成を示すブロック図。
【図３】第３の実施形態の現場点検監視支援装置１ｃの全体構成を示すブロック図。
【図４】第４の実施形態の現場点検監視支援装置１ｄの全体構成を示すブロック図。
【図５】第５の実施形態の現場点検監視支援装置１ｅの全体構成を示すブロック図。
【図６】第６の実施形態の現場点検監視支援装置１ｆの全体構成を示すブロック図。
【図７】タグコード関連付けデータＤＢ２４ｆに格納されたタグコード関連付けデータの一例を示す図。
【図８】第７の実施形態の現場点検監視支援装置１ｇの全体構成を示すブロック図。
【図９】第８の実施形態の現場点検監視支援装置１ｈの全体構成を示すブロック図。
【符号の説明】
【０１１６】
１，１ｂ，１ｃ，１ｄ，１ｅ，１ｆ，１ｈ…現場点検監視支援装置、１０…発電所、１１…プラント、１２…現場点検監視支援端末、１４…統合タグ装置、２０…統合場所、２１…データサーバ、２２，１２２…データ伝送手段、２３…データ保存手段、２４ａ…履歴データＤＢ、２４ｂ…設備データＤＢ、２４ｃ…点検履歴データＤＢ、２４ｄ…点検順路データＤＢ、２４ｅ…機器配置図データＤＢ、２４ｆ…タグコード関連付けデータＤＢ、２４ｇ…閾値データＤＢ、２４ｈ…機器交換履歴データＤＢ、２６…判定手段、２７…算出手段、Ｎ１…通信ネットワーク、１１１…機器１、１１ｍ…機器ｍ、１１１ａ…部品１、１１１ｍ…部品ｍ、１２１…タグデータ読取手段、１２３…表示手段、１２４…データ入力手段、１２５，１３１ｃ，１３ｍｃ，１３１１ｃ…通信手段、１３１ｄ，１３ｍｄ，１３１１ｄ…発光手段、１３１，１３ｍ，１３１１…タグ装置、１３１ａ，１３ｍａ，１３１１ａ…タグコード保存手段、１３１ｂ，１３ｍｂ，１３１１ｂ…機器データ収集手段。
【図１】
2008139985.tif 000003
【図２】
2008139985.tif 000004
【図３】
2008139985.tif 000005
【図４】
2008139985.tif 000006
【図５】
2008139985.tif 000007
【図６】
2008139985.tif 000008
【図７】
2008139985.tif 000009
【図８】
2008139985.tif 000010
【図９】
2008139985.tif 000011